(57)【要約】【課題】  液体を含浸させることができ、含浸させた液体の徐放性に優れ、かつ放出された液体を均一に放出させて皮膚に塗る又は浸透させることができる、対人用液体塗布シート用積層体を提供する。【解決手段】  液体を含浸し得る液体保持層Ａの少なくとも一方の表面に、１μｍ以上４０μｍ以下の範囲内にある多孔シートである液体徐放層Ｂ、および平均孔径（ＰＣ）が前記液体徐放層Ｂの平均孔径（ＰＢ）よりも大きい繊維集合層である、皮膚当接層Ｃをこの順に積層することにより、対人用液体含浸シート用積層体を得る。【選択図】なし【特許請求の範囲】
【請求項１】
液体を含浸し得る液体保持層Ａの少なくとも一方の表面に、液体徐放層Ｂおよび皮膚当接層Ｃがこの順に積層されて成り、
液体徐放層Ｂが、その平均孔径（ＰＢ）が１μｍ以上４０μｍ以下の範囲内にある多孔シートであり、
皮膚当接層Ｃが、その平均孔径（ＰＣ）が前記液体徐放層Ｂの平均孔径（ＰＢ）よりも大きい繊維集合層である、
対人用液体含浸シート用積層体。
【請求項２】
前記液体保持層Ａが、０．０３ｇ／ｃｍ３以上０．２ｇ／ｃｍ３以下の見掛け密度（ρＡ）を有する不織布である、請求項１に記載の対人用液体含浸シート用積層体。
【請求項３】
前記液体徐放層Ｂが、５ｇ／ｍ２以上５０ｇ／ｍ２以下の目付を有し、０．０３ｇ／ｃｍ３以上０．３ｇ／ｃｍ３以下の見掛け密度（ρＢ）を有するメルトブローン不織布である、請求項１または２に記載の対人用液体含浸シート用積層体。
【請求項４】
前記皮膚当接層Ｃが、親水性繊維を３０mass％以上含んで成る水流交絡不織布である、請求項１〜３のいずれか１項に記載の対人用液体含浸シート用積層体。
【請求項５】
前記皮膚当接層Ｃが、極細繊維を１０mass％以上含んで成る水流交絡不織布である、請求項１〜４のいずれか１項に記載の対人用液体含浸シート用積層体。
【請求項６】
請求項１〜５のいずれか１項に記載の対人用液体含浸シート用積層体に液体を含浸させた対人用液体含浸シート。
【発明の詳細な説明】
【技術分野】
【０００１】
本発明は、液体を含浸でき、液体を含浸させた場合には液体を徐々に放出させて、人の皮膚に液体を塗布する又は浸透させる、あるいは人の皮膚を湿潤させる液体含浸シートとして使用可能である、対人用液体含浸シート用積層体に関する。
【背景技術】
【０００２】
人の皮膚に液体を塗布するためのシートとして、例えば、特許文献１（特開２００３−９３１５２号公報）には、特定構造の繊維構造体に化粧料を含浸してなる化粧料含浸シートが提案されている。特許文献１は、繊維構造体として、疎水性繊維を主成分とする繊維集合体からなる内層と、親水性成分を主成分とする繊維集合体からなる上下外層とで構成された３層構造の構造体が提案されている。さらに、特許文献１には、内層として、ポリプロピレン（ＰＰ）サーマルボンド不織布、ＰＰスパンボンド不織布、ポリエチレンテレフタレート（ＰＥＴ）スパンボンド不織布、またはＰＰ／ポリエチレン（ＰＥ）エアースルー不織布を用いることができると記載され、外層として、湿式もしくは乾式パルプシート、親水性繊維からなる湿式不織布シート、または超極細繊維を用いたメルトブローン不織布を用いることができると記載されている。この化粧料含浸シートにおいて、外層は、化粧料を保持し、肌に押し付けたときに化粧料を肌に適量放出する作用を有し、内層は、肌に押し当てたときに、比較的均一に化粧料を放出するとともに、シートが水性の化粧料を含浸した状態でもコシのある柔らかい触感を与える作用を有する。
【特許文献１】特開２００３−９３１５２号公報
【発明の開示】
【発明が解決しようとする課題】
【０００３】
特許文献１に記載の化粧料含浸シートのように、化粧料の放出量を外層のみで調整しようとすると、押し付け圧力によっては化粧料が一度に大量に放出されることとなる。そのため、このシートは、時間をかけて広い皮膚面積にわたって１枚のシートで化粧料等を塗布する、または１枚のシートを繰り返し使用する用途には適していない。また、特許文献１のシートは、内層自体も化粧料を一部保持する機能は有するものの十分ではない。したがって、特許文献１に記載の化粧料含浸シートは、化粧料の放出量を調整して、長時間にわたって使用することができないという不都合を有していた。
【０００４】
また、人の皮膚には化粧料以外の液体（例えば、皮膚病の治療用薬剤および皮膚の保湿剤等）を長時間にわたって、少量ずつ継続的に塗布することを要する場合もある。その場合には、液体を一定時間ごとに少量ずつ塗布する、あるいは液体をしみこませた紙または布（例えばガーゼ）を所定の部位に貼付する処置がとられる。しかし、決まった時間に液体を塗布することは煩わしく、また、ガーゼ等にしみこませた液体は十分に皮膚に移行しない（例えば、ガーゼ等にしみこんだままである）ことが多い。
【０００５】
本発明は、従来の化粧料含浸シートが有する問題に鑑みて、また、液体を少量ずつ長時間にわたって人の皮膚に良好に移行させ得る液体含浸シートが存在しない現状に鑑みてなされたものであり、液体を含浸させることができ、含浸させた液体を良好に徐放する性質を有し、かつ徐放された液体を皮膚に移行させ得るシート状物を得ることを課題としてなされたものである。
【課題を解決するための手段】
【０００６】
上記課題を解決するため、本発明は、液体を含浸し得る液体保持層Ａの少なくとも一方の表面に、液体徐放層Ｂおよび皮膚当接層Ｃがこの順に積層されて成り、
液体徐放層Ｂが、その平均孔径（ＰＢ）が１μｍ以上４０μｍ以下の範囲内にある多孔シートであり、
皮膚当接層Ｃが、その平均孔径（ＰＣ）が前記液体徐放層Ｂの平均孔径（ＰＢ）よりも大きい繊維集合層である、
対人用液体含浸シート用積層体を提供する。ここで、「対人用」という用語は、ワイパー等の分野において使用される用語であって、「対物用」と対をなす用語であり、主として人に適用されることを意味する。したがって、「対人用液体含浸シート」とは、人の皮膚、毛髪または粘膜にあてて液体を付与するシートを意味する。但し、本発明の対人用液体含浸シート用積層体は、所望の場合には、動物用としても用いられることに留意されたい。
【０００７】
本発明の対人用液体含浸シート用積層体は、上記構成を採ることにより、液体保持層Ａに含浸された液体の放出量が、液体徐放層Ｂにより調整され、調整された放出量の液体が液体徐放層Ｂから皮膚当接層Ｃに移動し、皮膚当接層Ｃにおいて均一に拡散されることを可能にする。したがって、皮膚当接層Ｃを皮膚にあてて、要すれば圧力を加えることにより、適当な量の液体を均一に皮膚に塗布または浸透等させることができる。
【０００８】
本発明の特徴は、多孔性シートが有する液体徐放効果がその平均孔径に依存すること、ならびに平均孔径が上記範囲内にあると、良好な液体徐放性が得られることを見出したことに存する。ここで、平均孔径は、ＡＳＴＭ  Ｆ  ３１６  ８６に準拠してバブルポイント法によって測定されるものをいう。さらに、本発明は、徐放される液体を均一に皮膚へ移行させるための皮膚当接層として、平均孔径が液体徐放層のそれよりも大きい繊維集合層を設けた点に特徴を有する。
【０００９】
液体徐放層Ｂの平均孔径（ＰＢ）が１μｍ未満であると、液体徐放層Ｂから皮膚当接層Ｃへ液体が移行しにくくなり、液体が適当な量で放出されない。液体徐放層Ｂの平均孔径（ＰＢ）が４０μｍを超えると、徐放効果が低下し、液体保持層Ａに含浸させた液体が早期に放出される。
【００１０】
皮膚当接層Ｃは、この積層体に液体を含浸させて実際に使用するときに、人の皮膚と接触する層である。皮膚当接層Ｃの平均孔径（ＰＣ）を液体徐放層Ｂの平均孔径（ＰＢ）よりも大きくすることは、液体を液体徐放層Ｂから皮膚当接層Ｃへスムースに移行させるために必要とされる。皮膚当接層Ｃの平均孔径（ＰＣ）が液体徐放層Ｂの平均孔径（ＰＢ）よりも小さいと、皮膚当接層Ｃから均一に液体を放出させて、皮膚に均一に液体を付与することができない。
【００１１】
本発明の対人用液体含浸シート用積層体において、液体保持層Ａは、好ましくは、０．０３ｇ／ｃｍ３以上０．２ｇ／ｃｍ３以下の見掛け密度（ρＡ）を有する不織布である。液体保持層Ａの見掛け密度（ρＡ）が０．０３ｇ／ｃｍ３未満であると、液体を保持しにくい傾向にあり、０．２ｇ／ｃｍ３を超えると、液体が液体徐放層Ｂの側へ移行しにくい傾向にある。ここで、見掛け密度は、１ｃｍ２あたり２．９４ｃＮの荷重を加えて測定した不織布の厚さおよび目付から算出されるものをいう。
【００１２】
本発明の対人用液体含浸シート用積層体において、上記範囲の平均孔径（ＰＢ）を有する液体徐放層Ｂは、好ましくは５ｇ／ｍ２以上５０ｇ／ｍ２以下の目付を有し、０．０３ｇ／ｃｍ３以上０．３ｇ／ｃｍ３以下の見掛け密度（ρＢ）を有するメルトブローン不織布である。かかるメルトブローン不織布は、風合いが柔軟であることから、対人用途に好ましく使用される。メルトブローン不織布の目付が５ｇ／ｍ２未満であると、含浸した液体が早期に放出されてしまうことがある。メルトブローン不織布の目付が５０ｇ／ｍ２を超えると、経済的に不利になる、あるいは積層体全体の厚さが大きくなって積層体を皮膚表面に沿わせにくくなることがある。また、メルトブローン不織布は、一般に目付が高くなるほど見掛け密度が低くなる傾向にあり、見掛け密度が低いほど、安定して液体を放出することができる。したがって、メルトブローン不織布は、上記範囲の目付を有する場合には、上記範囲内にある見掛け密度を有することが好ましい。
【００１３】
本発明の対人用液体含浸シート用積層体において、皮膚当接層Ｃは、好ましくは親水性繊維を３０mass％以上含んで成る。親水性繊維は、例えばビスコースレーヨン、溶剤紡糸セルロース繊維、およびキュプラ等の再生繊維、コットン等の天然繊維、または親水性を付与した合成繊維である。皮膚当接層Ｃが親水性繊維を含むことにより、積層体の肌触りが良くなり、長時間皮膚に貼付して使用する場合でも使用者に不快感を与えにくい。また、皮膚当接層Ｃが親水性繊維を含むと、繊維自体が液体保持機能を有する。したがって、体温等でシート表面から液体が蒸発しやすい場合に、皮膚当接層Ｃの親水性繊維に過剰量の液体を保持させておき、これを蒸発した液体を補うために使用することができる。このように親水性繊維を含む皮膚当接層Ｃは補助的な液体含浸層として機能し得る。
【００１４】
本発明の対人用液体含浸シート用積層体において、皮膚当接層は、好ましくは繊度が０．５dtex以下の極細繊維を１０mass％以上含んで成る。皮膚当接層Ｃが極細繊維を含むことにより、皮膚への刺激が少なくなる。極細繊維は、異なる２以上の成分からなる分割型複合繊維を割繊させることにより得られる極細繊維であることが好ましい。分割型複合繊維は、例えば水流交絡処理により割繊されるとともに交絡が進むので、複雑なラビリンス形状の繊維間空隙を形成するのに適しており特に好ましい。分割型複合繊維を構成する成分の組合せとしては、例えば、ポリエチレンテレフタレート／ナイロン６、ポリプロピレン／ポリエチレン、ポリエチレンテレフタレート／ポリプロピレン、ポリエチレンテレフタレート／ポリエチレン等が挙げられる。
【００１５】
本発明の対人用液体含浸シート用積層体において、皮膚当接層Ｃは、好ましくは水流交絡不織布である。水流交絡不織布は、前述のように、繊維同士が三次元的に交絡されて、繊維間空隙が入り組んだラビリンス形状を形成する。そのため、水流交絡不織布を皮膚当接層Ｃとして使用すると、皮膚当接層Ｃもまた一種の液体徐放層として作用し、液体徐放層Ｂを通過した液体が皮膚当接層Ｃ内を三次元的に移動し、拡散されて表面に放出されるので好ましい。また、水流交絡不織布はソフトな風合いを有するので、皮膚と当接したときに良好な触感を与える。
【発明の効果】
【００１６】
本発明の対人用液体含浸シート用積層体は、液体保持層Ａの少なくとも一方の面に特定の平均孔径を有する液体徐放層Ｂおよび皮膚当接層Ｃを設けることにより、液体保持層Ａに含浸させた液体を、少量ずつ放出面（即ち、皮膚当接層Ｃの表面）から均一に放出させることを可能にしている。したがって、この積層体の液体保持層Ａに液体を含浸させることにより、長期間にわたって一定量の液体を皮膚に塗布する、あるいは浸透させることが可能な対人用液体含浸シートが得られる。
【発明を実施するための最良の形態】
【００１７】
本発明の対人用液体含浸シート用積層体（本明細書において単に「積層体」とも呼ぶ）においては、液体を含浸させ得る液体保持層Ａの少なくとも一方の表面に液体徐放層Ｂおよび皮膚当接層Ｃがこの順に積層されている。液体徐放層Ｂおよび皮膚当接層Ｃは、液体保持層Ａの一方の表面にのみ位置してよい。その場合には、液体保持層Ａの他方の表面には液体不透過性フィルムなど他のシートを積層してよい。他のシートは、液体が揮発性である場合には、液体の蒸発を防止するガス不透過性フィルムとしてよい。液体徐放層Ｂおよび皮膚当接層Ｃが、液体保持層Ａの両方の面に位置する場合（即ち、液体保持層Ａを２つの液体徐放層Ｂで挟んでなる構造物が、さらに２つの皮膚当接層Ｃで挟まれた構成である場合）、両方の面を皮膚に当てて液体を塗布するために使用できる。
【００１８】
液体保持層Ａは、所望の液体を含浸および保持し得る限りにおいて、その材料および構造は特に限定されない。したがって、液体保持層Ａとして、例えば、繊維から成るシートおよびスポンジ状シート等、空隙を有する構造のものを任意に使用できる。
【００１９】
液体保持層Ａは、繊維ウェブを作製し、当該繊維ウェブを構成する繊維同士を交絡させる、あるいは熱接着等により接合させることによって得られる不織布であることが好ましい。不織布を製造するために作製される繊維ウェブは、例えば、カードウェブ、エアレイウェブおよびスパンボンドウェブなど、繊維間空隙（即ち、孔径）の大きいウェブであることが好ましい。不織布としては具体的には、繊維ウェブをニードルパンチ処理または水流交絡処理等に付すことにより得られる交絡不織布、繊維ウェブを熱風処理（エアスルー処理）または熱ロール処理等に付すことにより得られるサーマルボンド不織布、および繊維同士をバインダー樹脂により接着したレジンボンド不織布等が挙げられる。あるいは、繊維の脱落の問題が生じなければ（例えば、液体徐放層Ｂが繊維の脱落が防止している場合）、液体保持層Ａはカードウェブまたはエアレイウェブ等の繊維ウェブであってよい。
【００２０】
液体保持層Ａを構成する繊維は、コットン、パルプおよび麻などの天然繊維、ビスコースレーヨンおよび溶剤紡糸セルロースなどの再生繊維、ポリエステル、ポリアミド、ポリオレフィンおよびアクリルなどの合成繊維等から、１種または２種以上選択される。本発明においては、液体保持層Ａは、特に、ビスコースレーヨン、パルプおよびコットンから選択される１種または２種以上の繊維から成ることが好ましい。これらの繊維は親水性および保液性を有するので、これらの繊維から成る液体保持層Ａは液体の移行を調整する作用を有し、液体含浸シートをより長時間に亘って使用することを可能にする。
【００２１】
パルプで液体保持層Ａを構成する場合には、パルプ繊維と熱接着性繊維から成るエアレイウェブを熱風処理して繊維同士を熱接着したサーマルボンド不織布を液体保持層Ａとすることが好ましい。そのようなサーマルボンド不織布は、その製造過程において均一なウェブを作製することが容易であることから、好ましく使用される。レーヨンまたはコットンで液体保持層Ａを構成する場合には、液体保持層Ａは水流交絡不織布とすることが好ましい。水流交絡不織布は、柔軟な風合いを有するから、対人用途に適している。
【００２２】
液体保持層Ａの目付は、２０ｇ／ｍ２以上１００ｇ／ｍ２以下であることが好ましく、４０ｇ／ｍ２以上７０ｇ／ｍ２以下であることがより好ましい。液体保持層Ａの目付が２０ｇ／ｍ２未満であると、液体の含浸量が少なくなる傾向にあり、目付が１００ｇ／ｍ２を超えると、経済的に不利である。また、液体保持層Ａの目付が大きくなると、積層体全体が厚くなって取り扱いにくくなることがあり、例えば、この積層体に液体を含浸させたシートを湾曲または凹凸を有する部位に貼り付けにくくなることがある。液体保持層Ａは、好ましくは、０．０３ｇ／ｃｍ３以上０．２ｇ／ｃｍ３以下の見掛け密度（ρＡ）を有し、より好ましくは０．０４ｇ／ｃｍ３以上０．１５ｇ／ｃｍ３以下の見掛け密度（ρＡ）を有し、さらにより好ましくは０．０４ｇ／ｃｍ３以上０．１ｇ／ｃｍ３以下の見掛け密度（ρＡ）を有する。その理由は先に説明したとおりである。
【００２３】
液体徐放層Ｂは、前述したとおり、平均孔径（ＰＢ）が１μｍ以上４０μｍ以下である多孔性シートである。平均孔径（ＰＢ）は、好ましくは１０μｍ以上２５μｍ以下である。平均孔径（ＰＢ）は、液体保持層Ａに含浸させようとする液体の種類、および所望の液体徐放効果に応じて、適宜選択される。一般には、平均孔径（ＰＢ）が小さいほど、徐放効果は高くなる。ここで、徐放効果が高いとは、液体保持層Ａに含浸させた液体がより少量ずつ、より長期間にわたって放出されることをいう。より具体的には、一定量の液体を液体保持層Ａに保持させて対人用液体含浸シートを作製し、一定面積の塗布面に繰り返し液体を塗布できる回数を測定したときに、この回数が多いほど、徐放効果は高いといえる。徐放効果の高い対人用液体含浸シートは、フェイスマスクのように皮膚に貼付して長時間貼付した状態を維持したときに、皮膚への液体の浸透が持続するという作用を有する。したがって、徐放効果は、可能であれば、皮膚に貼付した対人用液体含浸シートから液体が皮膚へ浸透または移行し続ける時間の長短によっても評価することができる。
【００２４】
上記範囲の平均孔径（ＰＢ）を有する液体徐放層Ｂとして、微多孔膜、メルトブローン不織布、水流交絡不織布又は湿式不織布が好ましく使用される。
液体徐放層Ｂとして、メルトブローン不織布を使用する場合には、目付が５ｇ／ｍ２以上５０ｇ／ｍ２以下であることが好ましく、５ｇ／ｍ２以上３０ｇ／ｍ２以下であることがより好ましく、５ｇ／ｍ２以上２０ｇ／ｍ２以下であることがさらにより好ましい。その理由は先に説明したとおりである。また、メルトブローン不織布の見掛け密度（ρＢ）は、０．０３ｇ／ｃｍ３以上０．３ｇ／ｃｍ３以下であることが好ましく、０．０５ｇ／ｃｍ３以上０．２ｇ／ｃｍ３以下であることがより好ましい。その理由は先に説明したとおりである。
【００２５】
メルトブローン不織布を構成する繊維としては、例えば、ポリプロピレンおよびポリエチレンなどのポリオレフィン、ポリエチレンテレフタレートなどのポリエステル、ならびにナイロン６などのポリアミド等が挙げられる。これらの材料から選択される１または複数の材料から成るメルトブローン不織布であって、上記範囲の平均孔径（ＰＢ）を有するものは、具体的には、例えば平均繊維径が０．５〜１０μｍである繊維から成る、上記範囲の目付を有するメルトブローン不織布である。
【００２６】
液体徐放層Ｂとして、分割型複合繊維の割繊により得られる繊度０．５dtex以下の極細繊維を含む不織布もまた好ましく用いられる。そのような不織布は、分割型複合繊維を含む湿式抄紙ウェブ、カードウェブまたはスパンボンドウェブ等の繊維ウェブを、水流交絡処理に付して分割型複合繊維を割繊させるとともに繊維同士を交絡させることにより製造される。分割型複合繊維を構成する成分の組合せとしては、例えば、ポリエチレンテレフタレート／ナイロン６、ポリプロピレン／ポリエチレン、ポリエチレンテレフタレート／ポリプロピレン等が挙げられる。あるいは、液体徐放層Ｂは、平均孔径（ＰＢ）が上記範囲内にある限りにおいて、パルプを含むパルプ紙を水流交絡処理に付して得た不織布であってよい。
【００２７】
皮膚当接層Ｃは、その平均孔径（ＰＣ）が液体徐放層Ｂの平均孔径（ＰＢ）よりも大きい限りにおいて任意の形態とすることができる。皮膚当接層Ｃは、例えば、繊維ウェブ、織物、編物、または不織布等の繊維集合物から成る層である。皮膚当接層Ｃは、前述のとおり、水流交絡不織布であることが好ましい。その理由は、先に説明したとおりである。一般的な製造方法により得られる不織布等の平均孔径を考慮すれば、皮膚当接層Ｃの平均孔径（ＰＣ）は、液体徐放層Ｂの平均孔径（ＰＢ）の例えば１．２倍〜８０倍程度とすることが好ましい。平均孔径（ＰＣ）が平均孔径（ＰＢ）の１．２倍未満であると、液体徐放層Ｂから皮膚当接層Ｃへ液体が移行しにくくなることがある。平均孔径（ＰＣ）が平均孔径（ＰＢ）の８０倍を超えると、液体が早期に放出されることがあり、あるいは液体を均一に放出することが困難となる場合がある。尤も、ＰＣは必ずしもこの範囲に限定されず、ＰＣ＞ＰＢを満たす限りにおいて、この範囲外であってよい。皮膚当接層Ｃの平均孔径（ＰＣ）は、具体的には、例えば１０〜８０μｍとしてよいが、液体徐放層Ｂの平均孔径（ＰＢ）に応じてこの範囲外の寸法としてよい。
【００２８】
皮膚当接層Ｃの見掛け密度（ρＣ）は、０．０３ｇ／ｃｍ３以上０．３ｇ／ｃｍ３以下であることが好ましく、０．０４ｇ／ｃｍ３以上０．１５ｇ／ｃｍ３以下であることがより好ましい。皮膚当接層Ｃの見掛け密度（ρＣ）が０．０３ｇ／ｃｍ３未満であると、液体が皮膚当接層Ｃに均一に拡散する前に外部に放出されて、皮膚に均一に液体を塗る又は浸透させることができないことがある。一方、皮膚当接層Ｃの見掛け密度（ρＣ）が０．３ｇ／ｃｍ３を超えると、液体が放出されにくくなる、液体が拡散しにくくなる、あるいは液体が放出され易い部分と放出されにくい部分とが生じる等の理由により、やはり液体を皮膚に均一に塗る又は浸透させることができないことがある。
【００２９】
皮膚当接層Ｃは、親水性繊維を３０mass％以上含むことが好ましい。その理由は先に説明したとおりである。具体的な親水性繊維は先に例示したとおりである。
【００３０】
あるいは、皮膚当接層Ｃは、繊度が０．５dtex以下の極細繊維を含むことが好ましい。その理由は先に説明したとおりである。極細繊維は、より好ましくは、０．３dtex以下の繊度を有する。極細繊維は、皮膚当接層Ｃに１０〜８０mass％の割合で含まれることが好ましく、１０〜７０mass％の割合で含まれることがより好ましい。極細繊維の割合が１０mass％未満であると、皮膚当接層Ｃが極細繊維を含むことによる効果（皮膚への刺激性が少ないこと）を十分に得ることができず、８０mass％を越えると、不織布が緻密となりすぎて液体保持層Ａに保持した液体を皮膚表面に放出させるときに、液体の放出量が小さくなりすぎることがある。皮膚当接層Ｃは、極細繊維と親水性繊維をともに含んでよい。あるいは、皮膚当接層Ｃは、合成繊維のみから成る繊維集合層であってよく、その場合には、皮膚当接層Ｃの繊維により液体が吸収されにくいため、液体徐放層Ｂから徐放される液体が安定して放出される。
【００３１】
前記極細繊維は、異なる２以上の成分からなる分割型複合繊維を割繊させることにより得られる極細繊維であることが好ましい。分割型複合繊維は、前述したように、水流交絡処理により割繊されるとともに交絡が進むので、複雑なラビリンス形状の繊維間空隙を形成するのに適しており特に好ましい。分割型複合繊維を構成する成分の組合せの例は、液体徐放層Ｂに関連して説明したとおりである。
【００３２】
前述のとおり、本発明の積層体は、液体保持層Ａの片面または両面に、液体徐放層Ｂおよび皮膚当接層Ｃがこの順に積層され、一体化された構成を有する。本発明の積層体は、液体の放出性を阻害しない限りにおいて、他の不織布またはシートをさらに積層してもよい。層同士は、例えば、バインダー樹脂を用いて接合される。あるいは、層を構成する繊維が熱接着性を有する場合には、当該繊維の熱接着性を利用して、層同士を接合させてよい。あるいは、最終的に得られる積層体において、液体徐放層Ｂの平均孔径（ＰＢ）および皮膚当接層Ｃの平均孔径（ＰＣ）が上記条件を満たす限りにおいて、各層を構成する繊維同士を交絡させることによって、層同士を接合させてよい。あるいはまた、繊維同士を交絡させる接合手法と、バインダー樹脂を用いる接合手法とを併用して、層同士を接合させてよい。
【００３３】
本発明の積層体は、液体を含浸させて使用する。含浸させる液体は、流動性を有する限りにおいて、いずれの液体であってよい。具体的には、液体は、化粧料、薬液、洗浄液、または消毒液等であってよく、あるいはこれらの液体から選択される２以上の液体を混合したものであってよい。本発明の積層体に化粧料を含浸させた液体含浸シートは、例えば顔に化粧料を塗布するために使用する場合に、最初にシートを当てた部分においてのみ化粧料が多量に塗布されることを防止して、顔全体に均一に化粧料が塗布されることを可能にする。化粧料は、例えば、保湿成分、クレンジング成分、制汗成分、香り成分、美白成分、血行促進成分、紫外線防止成分および痩身成分から選択される１または複数の有効成分を含む。本発明の積層体に洗浄液を含浸させた液体含浸シートは、濡れタオルのように皮膚当接層Ｃで身体に洗浄液を塗布しながら、汚れを拭き取るように使用することができる。薬液または消毒液を含浸させた液体塗布シートは、例えば、皮膚病、創傷、擦傷または炎症の治療のために使用でき、所定の部位にあてて使用することにより、薬液または消毒液を長時間にわたって少量ずつ放出させることができ、薬液等を頻繁に塗る手間を省ける。いずれの液体も、必要に応じて、水または界面活性剤等の有効成分以外の成分を含んでいてよい。さらに、いずれの液体も、必要に応じて、用途等に応じて所望の粘度が得られるように、粘度調整剤として粘性物質を含んでよい。
【００３４】
液体の含浸量は、液体の種類および用途等に応じて決定される。例えば、本発明の積層体にクレンジング剤を含む化粧料を含浸させてクレンジングシートとする場合には、シート１００質量部に対して、化粧料を１００質量部以上４００質量部以下の割合で含浸させるとよい。本発明の積層体に美白成分または保湿成分等を含む化粧料を含浸させてフェイスマスクシートとする場合には、シート１００質量部に対して、化粧料を５００質量部以上８００質量部以下の割合で含浸させるとよい。
【００３５】
前記液体は、工業的に一般に用いられている加工方法を使用して、本発明の積層体に含浸させることができる。具体的には、例えば、スプレー法、ロールタッチ法、コーティング法、または浸漬（ディップ）法等の公知の方法を使用することができる。
【実施例】
【００３６】
液体保持層Ａとして、下記の３種類の不織布を用意した。
Ａ−１  ：構成繊維がパルプ８５mass%、熱融着繊維１５mass%であるエアレイウェブを熱風処理することにより作製した、パルプが熱接着性繊維により接着されているエアスルー不織布であって、目付が１００ｇ／ｍ２であり、厚さ（２．９４ｃN／ｃｍ２荷重）が１．７ｍｍであり、見掛け密度（ρＡ）が０．０６ｇ／ｃｍ３である不織布。
Ａ−２  ：構成繊維がパルプ８０mass%、熱融着繊維２０mass%であり、エアレイウェブを熱風処理することにより作製した、パルプが熱接着性繊維により接着されているエアスルー不織布であって、目付が６０ｇ／ｍ２であり、厚さ（２．９４ｃN／ｃｍ２荷重）が０．９５ｍｍであり、見掛け密度（ρＡ）が０．０６ｇ／ｃｍ３である不織布。
Ａ−３  ：構成繊維が１．７ｄtexのレーヨン繊維のみであるカードウェブを水流交絡処理することにより作製した水流交絡不織布であって、目付が６０ｇ／ｍ２であり、厚さ（２．９４ｃN／ｃｍ２荷重）が０．８３ｍｍ、見掛け密度（ρＡ）が０．０７ｇ／ｃｍ３である不織布。
【００３７】
液体徐放層Ｂとして、下記の３種類の不織布を用意した。
Ｂ−１  ：構成繊維が５μｍのポリプロピレン繊維であり、平均孔径が１５．１μｍであり、目付が２０ｇ／ｍ２であり、厚さ（２．９４ｃN／ｃｍ２荷重）が０．１２ｍｍであり、見掛け密度（ρＢ）が０．１７ｇ／ｃｍ３であるメルトブローン不織布。
Ｂ−２  ：構成繊維が５μｍのポリプロピレン繊維であり、平均孔径が１３．１μｍであり、目付が５０ｇ／ｍ２であり、厚さ（２．９４ｃN／ｃｍ２荷重）が０．５７ｍｍであり、見掛け密度（ρＢ）が０．０９ｇ／ｃｍ３であるメルトブローン不織布
Ｂ−３  ：ポリエチレンテレフタレート／ナイロン６の２成分からなる１６分割型複合繊維からなるカードウェブを水流交絡処理して割繊することにより得られた、繊度が約０．２dtexの極細繊維を約８０mass％含み、平均孔径が２８．７μｍであり、目付が１００ｇ／ｍ２であり、厚さ（２．９４ｃN／ｃｍ２荷重）が０．９２ｍｍであり、見掛け密度（ρＢ）が０．１１ｇ／ｃｍ３である水流交絡不織布。
【００３８】
皮膚当接層Ｃとして下記の２種類の不織布を用意した。
Ｃ−１  ：コットン繊維からなるカードウェブを水流交絡処理することにより作製した水流交絡不織布であって、平均孔径が７０μｍであり、目付が６０ｇ／ｍ２であり、厚さ（２．９４ｃN／ｃｍ２荷重）が０．９８ｍｍであり、見掛け密度（ρＣ）が０．０６ｇ／ｃｍ３である不織布。
Ｃ−２  ：ポリエチレンテレフタレート／ナイロン６の２成分からなる１６分割型複合繊維からなるカードウェブを水流交絡処理して割繊することにより得られた、繊度が約０．２dtexの極細繊維を約８０mass％含み、平均孔径が６５μｍであり、目付が４０ｇ／ｍ２であり、厚さ（２．９４ｃN／ｃｍ２荷重）が０．４２ｍｍであり、見掛け密度（ρＣ）が０．１０ｇ／ｃｍ３である水流交絡不織布。
【００３９】
上記において、平均孔径はいずれも、パームポロメータ（Ｐｏｒｏｕｓ  Ｍａｔｅｒｉａｌｓ  Ｉｎｃ．製）を使用して、ＡＳＴＭ  Ｆ  ３１６  ８６に準拠してバブルポイント法により測定した値である。また、見掛け密度は、２．９４ｃＮ／ｃｍ２荷重で測定した厚さと目付とから求めた値である。
【００４０】
（実施例１）
不織布Ａ−１の一方の面にシートＢ−１および不織布Ｃ−１をこの順に積層した、Ａ−１／Ｂ−１／Ｃ−１のシート構成を有する積層体を作製した。層と層との間は、接着剤（コニシ（株）製、商品名「ボンドＧ１７」）を、１０ｃｍ２あたり約０．１ｇの量で、ヘラを用いて、一方の層の表面に均一に塗布して貼り合わせることにより接着一体化して、対人用液体含浸シート用積層体を得た。
【００４１】
（実施例２）
積層体の構成をＡ−２／Ｂ−１／Ｃ−２としたこと以外は実施例１と同様にして、対人用液体含浸シート用積層体を得た。
【００４２】
（実施例３）
積層体の構成をＡ−３／Ｂ−２／Ｃ−１としたこと以外は実施例１と同様にして、対人用液体含浸シート用積層体を得た。
【００４３】
（実施例４）
積層体の構成をＡ−３／Ｂ−３／Ｃ−１としたこと以外は実施例１と同様にして、対人用液体含浸シート用積層体を得た。
【００４４】
（比較例１）
積層体の構成をＡ−１／Ｃ−１としたこと以外は実施例１と同様にして、対人用液体含浸シート用積層体を得た。
【００４５】
（比較例２）
積層体の構成をＡ−２／Ｂ−１としたこと以外は実施例１と同様にして、対人用液体含浸シート用積層体を得た。
【００４６】
（比較例３）
積層体の構成をＡ−２／Ｃ−１／Ｂ−３としたこと以外は実施例１と同様にして、対人用液体含浸シート用積層体を得た。この積層体は、皮膚当接層として作製した不織布を液体徐放層として使用し、液体徐放層として作製した不織布を皮膚当接層として使用するものである。
【００４７】
実施例１〜４および比較例１〜３で得られた対人用液体含浸シート用積層体に以下の手順で液体を含浸させて、対人用液体含浸シートとし、これを評価した。評価方法は次のとおりである。
【００４８】
＜液体放出性＞
１）各実施例または比較例で得た対人用液体含浸シート用積層体（たて２００ｍｍ×よこ３００ｍｍ）を、花王（株）製、化粧水「キュレル」（商品名）が入った液体槽に、シート全体が浸漬するようにディップし、２時間放置した。
２）シートに対して、化粧水が約６００mass％となるように、ロールで絞って均一に化粧水を含浸させた。
３）液体含浸シートをたて３０ｃｍ×よこ５０ｃｍサイズのガラス面に、シートのよこ方向がガラス板のたて方向と一致するように置き、シートに荷重がかからないようにシートの端を手で引っ張り、ガラス面を３回往復させた。
４）３往復させた後、ガラス面に付着した液体量を観察し、下記の基準で評価した。
【００４９】
［評価の基準：液体放出性］
◎：ガラス面に液体が少量ずつ塗布することができ、且つ均一に塗布されていた。
○：ガラス面に液体が少量ずつ塗布することができたが、一部不均一に塗布されていた。
△：カラス面に液体が少量ずつ塗布できるが、かなり不均一に塗布されていた。
×：ガラス面に液体が大量に、且つ不均一に塗布されていた。
【００５０】
＜拭き心地＞
上記対人用液体含浸シートを、５名のモニターで手の甲を１０回軽く擦ったときの拭き心地を、下記の基準で評価した。
【００５１】
［評価基準：拭き心地］
◎：すべりがよく、拭き心地が軽い。
○：すべりはよいが、拭き心地がやや重い。
△：すべりがやや悪く拭き心地がやや重い。
×：すべりが悪く拭き心地が重い。
【００５２】
【表１】
2006110796.tif 000002
【００５３】
実施例１〜４の対人用液体含浸シートは、いずれも液体徐放層Ｂおよび皮膚当接層Ｃが前述した範囲の平均孔径を有していたため、液体放出性が良好であった。また、実施例１〜４の対人用液体含浸シートは、皮膚当接層Ｃが親水性繊維（コットン）または極細繊維を含んで成る水流交絡不織布であったために、良好な拭き心地を使用者に与えた。比較例１の対人用液体含浸シートは、液体徐放層Ｂを有していなかったために液体放出性が劣っていた。比較例２の対人用液体含浸シートは、皮膚当接層Ｃを有していなかったために、拭き心地が悪く、また、液体放出性も実施例のものより劣っており、このことは、皮膚当接層Ｃが液体徐放効果をある程度有することを示している。比較例３のシートは、不織布構成をＡ−１／Ｃ−１／Ｂ−３としたために、液体徐放層の平均孔径が皮膚当接層の平均孔径よりも大きくなってしまい、その結果、液体放出性が悪くなったと考えられる。また、比較例３のシートは、極細繊維を含む水流交絡不織布が皮膚当接層として使用されている点では実施例２と共通しているものの、平均孔径が小さかったために、皮膚に十分な量の化粧水が行き渡らず、その結果、やや重い拭き心地を与えたものと考えられる。
【産業上の利用可能性】
【００５４】
本発明の積層体は、液体を含浸することができ、含浸させた液体を徐々に放出させ、かつ放出された液体を均一に皮膚に移行させることを可能にするものである。したがって、本発明の積層体は、有効成分を適宜選択し、これを水または有機溶媒に溶解または分散させた液体を含浸させることにより、当該有効成分を、一定時間をかけて一定量ずつ塗布または投与することが可能なシート（例えば、化粧料含浸シートまたは薬液含浸シート）を製造するのに適している。